(57)【要約】      （修正有）【課題】フライングキャパシタンスを共有するチャージポンプ回路を提供する。【解決手段】チャージポンプ回路１００は、フライングキャパシタＣＦＬＹを共有するブーストチャージポンプ回路及びバックチャージポンプ回路を含む。ブーストポンプ回路は、入力ノード１０２、及びブーストされた電圧の出力ノード１０８を含み、バックチャージポンプ回路は、入力ノード１０２、及び除算された電圧の出力ノード１１０を含む。請求項３のチャージポンプは、ブーストされた電圧が２×Ｖｉｎを含み、除算された電圧がＶｉｎ／２を含む。Ｖｉｎは入力ノードにおける入力電圧である。ブーストポンプ回路はさらに、ブーストされた電圧の出力ノードを接地に結合する第１保持キャパシタＣＨＯＬＤ１を含む。バックポンプ回路はさらに、除算された電圧の出力ノードを接地に結合する第２保持キャパシタＣＨＯＬＤ２を含む。【選択図】図４
2016149922.tif 000002
【特許請求の範囲】
【請求項１】
共通するフライングキャパシタンスを共有するブーストチャージポンプ回路及びバックチャージポンプ回路を含むチャージポンプ。
【請求項２】
前記ブーストポンプ回路は、入力ノード、及びブーストされた電圧の出力ノードを含む請求項１のチャージポンプ。
【請求項３】
前記バックチャージポンプ回路は、前記入力ノード、及び除算された電圧の出力ノードを含む請求項２のチャージポンプ。
【請求項４】
前記ブーストされた電圧は２×Ｖｉｎを含み、
前記除算された電圧はＶｉｎ／２を含み、Ｖｉｎは前記入力ノードにおける入力電圧である請求項３のチャージポンプ。
【請求項５】
前記ブーストポンプ回路はさらに、前記ブーストされた電圧の出力ノードを接地に結合する第１保持キャパシタンスを含む請求項３のチャージポンプ。
【請求項６】
前記バックポンプ回路はさらに、前記除算された電圧の出力ノードを前記接地に結合する第２保持キャパシタンスを含む請求項５のチャージポンプ。
【請求項７】
前記ブーストポンプ回路及び前記バックポンプ回路はさらに、
前記入力ノードと前記フライングキャパシタンスの対応端との間に並列配置された第１スイッチ（Ｓ１）及び第２スイッチ（Ｓ２）と、
前記フライングキャパシタンスの第２端と前記接地との間の第３スイッチ（Ｓ３）と、
前記フライングキャパシタンスの第１端と前記ブーストされた電圧の出力ノードとの間の第４スイッチ（Ｓ４）と、
前記フライングキャパシタンスの第１端と前記除算された電圧の出力ノードとの間の第５スイッチ（Ｓ５）と、
前記フライングキャパシタンスの第２端と前記除算された電圧の出力ノードとの間の第６スイッチ（Ｓ６）と
を含む請求項６のチャージポンプ。
【請求項８】
前記スイッチＳ１、Ｓ２、Ｓ３、Ｓ４、Ｓ５及びＳ６は、前記２×Ｖｉｎの出力及び前記Ｖｉｎ／２の出力を与えるように４つのフェーズで動作するべく構成される請求項７のチャージポンプ。
【請求項９】
前記第１フェーズは閉のＳ１及びＳ６並びに開のＳ２〜Ｓ５を含み、
前記第２フェーズは閉のＳ３及びＳ５並びに開のＳ１、Ｓ２、Ｓ４及びＳ６を含み、
前記第３フェーズは閉のＳ１及びＳ３並びに開のＳ２及びＳ４〜Ｓ６を含み、
前記第４フェーズは閉のＳ２及びＳ４並びに開のＳ１、Ｓ３、Ｓ５及びＳ６を含む請求項８のチャージポンプ。
【請求項１０】
前記第１フェーズは閉のＳ１及びＳ６並びに開のＳ２〜Ｓ５を含み、
前記第２フェーズは閉のＳ３及びＳ５並びに開のＳ１、Ｓ２、Ｓ４及びＳ６を含み、
前記第３フェーズは閉のＳ１及びＳ６並びに開のＳ２〜Ｓ５を含み、
前記第４フェーズは閉のＳ２及びＳ４並びに開のＳ１、Ｓ３、Ｓ５及びＳ６を含む請求項８のチャージポンプ。
【請求項１１】
前記第３フェーズは、チャージ保存を改善するべく前記フライングキャパシタンスを部分的に充電することを含む請求項１０のチャージポンプ。
【請求項１２】
前記第１フェーズは閉のＳ１及びＳ６並びに開のＳ２〜Ｓ５を含み、
前記第２フェーズは閉のＳ３及びＳ５並びに開のＳ１、Ｓ２、Ｓ４及びＳ６を含み、
前記第３フェーズは閉のＳ１及びＳ６並びに開のＳ２〜Ｓ５を含み、
前記第４フェーズは閉のＳ３及びＳ５並びに開のＳ１、Ｓ２、Ｓ４及びＳ６を含む請求項８のチャージポンプ。
【請求項１３】
前記第４フェーズは、ヒステリシスフィードバックループにおけるリップル効果を制限するべく前記フライングキャパシタンスの充電を打ち切ることを含む請求項１２のチャージポンプ。
【請求項１４】
電圧供給システムであって、
電池電圧Ｖｂａｔｔに基づいてブーストされた電圧を発生させるべく構成されたブースト変換器と、
共通するフライングキャパシタンスを共有するブーストチャージポンプ回路及びバックチャージポンプ回路を有するチャージポンプと
を含み、
前記チャージポンプは、２×Ｖｂａｔｔ及びＶｂａｔｔ／２の規模を有する出力電圧を発生させるべく構成される電圧供給システム。
【請求項１５】
前記ブーストポンプ回路はさらに、前記ブーストされた電圧の出力ノードを接地に結合する第１保持キャパシタンスを含む請求項１４の電圧供給システム。
【請求項１６】
前記バックポンプ回路はさらに、前記除算された電圧の出力ノードを前記接地に結合する第２保持キャパシタンスを含む請求項１５の電圧供給システム。
【請求項１７】
前記ブーストポンプ回路及び前記バックポンプ回路はさらに、
前記入力ノードと前記フライングキャパシタンスの対応端との間に並列配置された第１スイッチ（Ｓ１）及び第２スイッチ（Ｓ２）と、
前記フライングキャパシタンスの第２端と前記接地との間の第３スイッチ（Ｓ３）と、
前記フライングキャパシタンスの第１端と前記ブーストされた電圧の出力ノードとの間の第４スイッチ（Ｓ４）と、
前記フライングキャパシタンスの第１端と前記除算された電圧の出力ノードとの間の第５スイッチ（Ｓ５）と、
前記フライングキャパシタンスの第２端と前記除算された電圧の出力ノードとの間の第６スイッチ（Ｓ６）と
を含む請求項１６の電圧供給システム。
【請求項１８】
無線周波数（ＲＦ）モジュールであって、
複数のコンポーネントを受容するべく構成されたパッケージング基板と、
前記パッケージング基板に実装される電力増幅システムと
を含み、
前記電力増幅システムは電圧供給システムを含み、
前記電圧供給システムは、共通するフライングキャパシタンスを共有するブーストチャージポンプ回路及びバックチャージポンプ回路を有するチャージポンプを含み、
前記チャージポンプは、２×Ｖｂａｔｔ及びＶｂａｔｔ／２の規模を有する出力電圧を発生させるべく構成され、
量Ｖｂａｔｔは電池電圧であるＲＦモジュール。
【請求項１９】
前記ブーストポンプ回路はさらに、前記ブーストされた電圧の出力ノードを接地に結合する第１保持キャパシタンスを含み、
前記バックポンプ回路はさらに、前記除算された電圧の出力ノードを前記接地に結合する第２保持キャパシタンスを含む請求項１８のＲＦモジュール。
【請求項２０】
前記ブーストポンプ回路及び前記バックポンプ回路はさらに、
前記入力ノードと前記フライングキャパシタンスの対応端との間に並列配置された第１スイッチ（Ｓ１）及び第２スイッチ（Ｓ２）と、
前記フライングキャパシタンスの第２端と前記接地との間の第３スイッチ（Ｓ３）と、
前記フライングキャパシタンスの第１端と前記ブーストされた電圧の出力ノードとの間の第４スイッチ（Ｓ４）と、
前記フライングキャパシタンスの第１端と前記除算された電圧の出力ノードとの間の第５スイッチ（Ｓ５）と、
前記フライングキャパシタンスの第２端と前記除算された電圧の出力ノードとの間の第６スイッチ（Ｓ６）と
を含む請求項１９のＲＦモジュール。
【発明の詳細な説明】
【技術分野】
【０００１】
本開示は、無線周波数（ＲＦ）アプリケーションにおける電圧供給システムに関する。
【０００２】
関連出願の相互参照
本願は、２０１５年２月１５日出願の「交互配置された二重出力チャージポンプ」との名称の米国仮出願第６２／１１６，４５７号、及び２０１５年９月２２日出願の「交互配置された二重出力チャージポンプ」との名称の米国出願第１４／８６１，０５８号の優先権を主張する。これらそれぞれの開示はその全体が、ここに明示的に参照として組み入れられる。
【０００３】
本願は、２０１５年２月１５日出願の「多重モード電力管理に関するデバイスと方法」との名称の米国仮出願第６２／１１６，４５８号に関する。その開示はその全体が、ここに明示的に参照として組み入れられる。
【背景技術】
【０００４】
無線デバイスのような携帯型デバイスにおける多くの回路は、限られた電池供給リソースを効率的に利用するべくＤＣ／ＤＣ電力変換を要求又は利用する。多くの場合、電池電圧を超える電圧が必要又は所望される一方、他の状況では、電池電圧よりも有意に低い電圧が利用される。
【０００５】
伝統的に、複数の電力供給出力を送達するべく並列供給回路群を利用することができる。しかしながら、かかる並列供給回路は典型的に、ダイ面積の増加、入力／出力（Ｉ／Ｏ）複雑性の増加、及び／又は部品表（ｂｉｌｌ  ｏｆ  ｍａｔｅｒｉａｌｓ（ＢＯＭ））コストの増加をもたらす。チャージポンプ設計は、ブースト及びバック（ｂｕｃｋ）出力電圧を送達するべく利用することができる。伝統的に、かかる設計では、各回路がそれ自身のパッシブコンポーネントを有する別個の回路が利用されるので、Ｉ／Ｏ及びＢＯＭ内容の重複がもたらされる。
【発明の概要】
【０００６】
一定数の実装によれば、本開示は、共通するフライングキャパシタンスを共有するブーストチャージポンプ回路及びバックチャージポンプ回路を含むチャージポンプに関する。
【０００７】
いくつかの実装において、ブーストポンプ回路は、入力ノード、及びブーストされた電圧の出力ノードを含む。いくつかの実装において、バックチャージポンプ回路は、入力ノード、及び除算された電圧の出力ノードを含む。
【０００８】
いくつかの実装において、ブーストされた電圧は２×Ｖｉｎを含み、除算された電圧はＶｉｎ／２を含む。Ｖｉｎは入力ノードにおける入力電圧である。
【０００９】
いくつかの実装において、ブーストポンプ回路はさらに、ブーストされた電圧の出力ノードを接地に結合する第１保持キャパシタンスを含む。いくつかの実装において、バックポンプ回路はさらに、除算された電圧の出力ノードを接地に結合する第２保持キャパシタンスを含む。
【００１０】
いくつかの実装において、ブーストポンプ回路及びバックポンプ回路はさらに、入力ノードとフライングキャパシタンスの対応端との間に並列配置された第１スイッチ（Ｓ１）及び第２スイッチ（Ｓ２）と、フライングキャパシタンスの第２端と接地との間の第３スイッチ（Ｓ３）と、フライングキャパシタンスの第１端とブーストされた電圧の出力ノードとの間の第４スイッチ（Ｓ４）と、フライングキャパシタンスの第１端と除算された電圧の出力ノードとの間の第５スイッチ（Ｓ５）と、フライングキャパシタンスの第２端と除算された電圧の出力ノードとの間の第６スイッチ（Ｓ６）とを含む。
【００１１】
いくつかの実装において、スイッチＳ１、Ｓ２、Ｓ３、Ｓ４、Ｓ５及びＳ６は、２×Ｖｉｎの出力及びＶｉｎ／２の出力を与えるように４つのフェーズで動作するべく構成される。
【００１２】
いくつかの実装において、第１フェーズは閉のＳ１及びＳ６並びに開のＳ２〜Ｓ５を含み、第２フェーズは閉のＳ３及びＳ５並びに開のＳ１、Ｓ２、Ｓ４及びＳ６を含み、第３フェーズは閉のＳ１及びＳ３並びに開のＳ２及びＳ４〜Ｓ６を含み、第４フェーズは閉のＳ２及びＳ４並びに開のＳ１、Ｓ３、Ｓ５及びＳ６を含む。
【００１３】
いくつかの実装において、第１フェーズは閉のＳ１及びＳ６並びに開のＳ２〜Ｓ５を含み、第２フェーズは閉のＳ３及びＳ５並びに開のＳ１、Ｓ２、Ｓ４及びＳ６を含み、第３フェーズは閉のＳ１及びＳ６並びに開のＳ２〜Ｓ５を含み、第４フェーズは閉のＳ２及びＳ４並びに開のＳ１、Ｓ３、Ｓ５及びＳ６を含む。いくつかの実装において、第３フェーズは、チャージ保存を改善するべくフライングキャパシタンスを部分的に充電することを含む。
【００１４】
いくつかの実装において、第１フェーズは閉のＳ１及びＳ６並びに開のＳ２〜Ｓ５を含み、第２フェーズは閉のＳ３及びＳ５並びに開のＳ１、Ｓ２、Ｓ４及びＳ６を含み、第３フェーズは閉のＳ１及びＳ６並びに開のＳ２〜Ｓ５を含み、第４フェーズは閉のＳ３及びＳ５並びに開のＳ１、Ｓ２、Ｓ４及びＳ６を含む。いくつかの実装において、第４フェーズは、ヒステリシスフィードバックループにおけるリップル効果を制限するべくフライングキャパシタンスの充電を打ち切ることを含む。
【００１５】
いくつかの実装において、本開示は、ブーストされた電圧を電池電圧に基づいて発生させるべく構成されたブースト変換器を含む電圧供給システムに関する。電圧供給システムはまた、共通するフライングキャパシタンスを共有するブーストチャージポンプ回路及びバックチャージポンプ回路を有するチャージポンプを含み、チャージポンプは、２×Ｖｂａｔｔ及びＶｂａｔｔ／２の規模を有する出力電圧を発生させるべく構成される。
【００１６】
いくつかの実装において、ブーストポンプ回路は、入力ノード、及びブーストされた電圧の出力ノードを含む。いくつかの実装において、バックチャージポンプ回路は、入力ノード、及び除算された電圧の出力ノードを含む。
【００１７】
いくつかの実装において、ブーストポンプ回路はさらに、ブーストされた電圧の出力ノードを接地に結合する第１保持キャパシタンスを含む。いくつかの実装において、バックポンプ回路はさらに、除算された電圧の出力ノードを接地に結合する第２保持キャパシタンスを含む。
【００１８】
いくつかの実装において、ブーストポンプ回路及びバックポンプ回路はさらに、入力ノードとフライングキャパシタンスの対応端との間に並列配置された第１スイッチ（Ｓ１）及び第２スイッチ（Ｓ２）と、フライングキャパシタンスの第２端と接地との間の第３スイッチ（Ｓ３）と、フライングキャパシタンスの第１端とブーストされた電圧の出力ノードとの間の第４スイッチ（Ｓ４）と、フライングキャパシタンスの第１端と除算された電圧の出力ノードとの間の第５スイッチ（Ｓ５）と、フライングキャパシタンスの第２端と除算された電圧の出力ノードとの間の第６スイッチ（Ｓ６）とを含む。
【００１９】
いくつかの実装において、スイッチＳ１、Ｓ２、Ｓ３、Ｓ４、Ｓ５及びＳ６は、２×Ｖｂａｔｔの出力及びＶｂａｔｔ／２の出力を与えるように４つのフェーズで動作するべく構成される。
【００２０】
いくつかの実装において、本開示は、複数のコンポーネントを受容するべく構成されたパッケージング基板を含む無線周波数（ＲＦ）モジュールに関する。ＲＦモジュールはさらに、パッケージング基板に実装された電力増幅システムを含み、当該電力増幅システムは電圧供給システムを含み、当該電圧供給システムは、共通するフライングキャパシタンスを共有するブーストチャージポンプ回路及びバックチャージポンプ回路を有するチャージポンプを含み、当該チャージポンプは、２×Ｖｂａｔｔ及びＶｂａｔｔ／２の規模を有する出力電圧を発生させるべく構成され、量Ｖｂａｔｔは電池電圧である。
【００２１】
いくつかの実装において、ブーストポンプ回路は、入力ノード、及びブーストされた電圧の出力ノードを含む。いくつかの実装において、バックチャージポンプ回路は、入力ノード、及び除算された電圧の出力ノードを含む。
【００２２】
いくつかの実装において、ブーストポンプ回路はさらに、ブーストされた電圧の出力ノードを接地に結合する第１保持キャパシタンスを含む。いくつかの実装において、バックポンプ回路はさらに、除算された電圧の出力ノードを接地に結合する第２保持キャパシタンスを含む。
【００２３】
いくつかの実装において、ブーストポンプ回路及びバックポンプ回路はさらに、入力ノードとフライングキャパシタンスの対応端との間に並列配置された第１スイッチ（Ｓ１）及び第２スイッチ（Ｓ２）と、フライングキャパシタンスの第２端と接地との間の第３スイッチ（Ｓ３）と、フライングキャパシタンスの第１端とブーストされた電圧の出力ノードとの間の第４スイッチ（Ｓ４）と、フライングキャパシタンスの第１端と除算された電圧の出力ノードとの間の第５スイッチ（Ｓ５）と、フライングキャパシタンスの第２端と除算された電圧の出力ノードとの間の第６スイッチ（Ｓ６）とを含む。
【００２４】
いくつかの実装において、スイッチＳ１、Ｓ２、Ｓ３、Ｓ４、Ｓ５及びＳ６は、２×Ｖｂａｔｔの出力及びＶｂａｔｔ／２の出力を与えるように４つのフェーズで動作するべく構成される。
【００２５】
いくつかの教示によれば、本開示は、無線周波数（ＲＦ）信号を発生させる送受信器を含む無線周波数（ＲＦ）デバイスに関する。ＲＦデバイスは、送受信器と通信するフロントエンドモジュール（ＦＥＭ）を含み、当該ＦＥＭは、ＲＦ信号を増幅するべく構成された電力増幅システムを含み、当該電力増幅システムは電圧供給システムを含み、当該電圧供給システムは、共通するフライングキャパシタンスを共有するブーストチャージポンプ回路及びバックチャージポンプ回路を有するチャージポンプを含み、当該チャージポンプは、２×Ｖｂａｔｔ及びＶｂａｔｔ／２の規模を有する出力電圧を発生させるべく構成され、量Ｖｂａｔｔは電池電圧である。ＲＦデバイスはさらに、ＦＥＭと通信するアンテナを含み、当該アンテナは、増幅されたＲＦ信号を送信するべく構成される。
【００２６】
いくつかの実装において、ＲＦデバイスは無線デバイスを含む。いくつかの実装において、無線デバイスはセルラー電話である。
【００２７】
いくつかの実装において、ブーストポンプ回路は、入力ノード、及びブーストされた電圧の出力ノードを含む。いくつかの実装において、バックチャージポンプ回路は、入力ノード、及び除算された電圧の出力ノードを含む。
【００２８】
いくつかの実装において、ブーストポンプ回路はさらに、ブーストされた電圧の出力ノードを接地に結合する第１保持キャパシタンスを含む。いくつかの実装において、バックポンプ回路はさらに、除算された電圧の出力ノードを接地に結合する第２保持キャパシタンスを含む。
【００２９】
いくつかの実装において、ブーストポンプ回路及びバックポンプ回路はさらに、入力ノードとフライングキャパシタンスの対応端との間に並列配置された第１スイッチ（Ｓ１）及び第２スイッチ（Ｓ２）と、フライングキャパシタンスの第２端と接地との間の第３スイッチ（Ｓ３）と、フライングキャパシタンスの第１端とブーストされた電圧の出力ノードとの間の第４スイッチ（Ｓ４）と、フライングキャパシタンスの第１端と除算された電圧の出力ノードとの間の第５スイッチ（Ｓ５）と、フライングキャパシタンスの第２端と除算された電圧の出力ノードとの間の第６スイッチ（Ｓ６）とを含む。
【００３０】
いくつかの実装において、スイッチＳ１、Ｓ２、Ｓ３、Ｓ４、Ｓ５及びＳ６は、２×Ｖｂａｔｔの出力及びＶｂａｔｔ／２の出力を与えるように４つのフェーズで動作するべく構成される。
【００３１】
本開示を要約する目的で本発明の一定の側面、利点及び新規な特徴がここに記載された。理解すべきことだが、かかる利点のすべてが必ずしも、本発明の任意の特定実施形態によって達成できるわけではない。すなわち、本発明は、ここに教示される一の利点又は一群の利点を、ここに教示又は示唆される他の利点を必ずしも達成する必要なしに、達成又は最適化する態様で具体化又は実施をすることができる。
【図面の簡単な説明】
【００３２】
本開示を詳細に理解できるようにするべく、添付図面にいくつかが例示される様々な実装の特徴を参照することによって、具体的な記載が与えられる。しかしながら、添付図面は本開示の適切な特徴を例示するのみであって、限定的とみなすべきではない。当該記載は他の有効な特徴も認めることができるからである。
【００３３】
【図１】いくつかの実装に係る電圧供給システムのブロック図である。
【図２】いくつかの実装に係る図１の電圧供給システムの代表的なアプリケーションを示す。
【図３Ａ】いくつかの実装に係るチャージポンプダブラ回路の模式的な図を示す。
【図３Ｂ】いくつかの実装に係るチャージポンプ除算器回路の模式的な図を示す。
【図４】いくつかの実装に係る二重出力チャージポンプ回路の模式的な図である。
【図５−１】図５Ａ〜５Ｄは、いくつかの実装に係る図４の二重出力チャージポンプ回路の、４つの動作フェーズのシーケンスを示す。
【図５−２】図５Ａ〜５Ｄは、いくつかの実装に係る図４の二重出力チャージポンプ回路の、４つの動作フェーズのシーケンスを示す。
【図６】いくつかの実装に係る図４の二重出力チャージポンプ回路の、４つの動作フェーズの２つのサイクルにわたるフライングキャパシタのチャージレベルを示す。
【図７】いくつかの実装に係る図４の二重出力チャージポンプ回路の、４つの動作フェーズの２つのサイクルにわたるフライングキャパシタにおけるチャージ損失レベルの低減を示す。
【図８】いくつかの実装に係る図３Ａ及び３Ｂの別個のチャージポンプ回路の代表的な性能プロットを示す。
【図９】いくつかの実装に係る図５Ａ〜５Ｄにおいて動作する二重出力チャージポンプ回路に対する代表的な性能プロットを示す。
【図１０−１】図１０Ａ〜１０Ｄは、いくつかの実装に係る図４の二重出力チャージポンプ回路の、チャージ保存を改善するべく実装することができる４つの動作フェーズのシーケンスを示す。
【図１０−２】図１０Ａ〜１０Ｄは、いくつかの実装に係る図４の二重出力チャージポンプ回路の、チャージ保存を改善するべく実装することができる４つの動作フェーズのシーケンスを示す。
【図１１】いくつかの実装に係る図１０Ａ〜１０Ｄにおいて動作する二重出力チャージポンプ回路の代表的な性能プロットを示す。
【図１２−１】図１２Ａ〜１２Ｄは、いくつかの実装に係る図４の二重出力チャージポンプ回路の、第４フェーズの選択的動作を容易にするべく実装することができる４つの動作フェーズのシーケンスを示す。
【図１２−２】図１２Ａ〜１２Ｄは、いくつかの実装に係る図４の二重出力チャージポンプ回路の、第４フェーズの選択的動作を容易にするべく実装することができる４つの動作フェーズのシーケンスを示す。
【図１３】いくつかの実装に係る図１２Ａ〜１２Ｄの例において実装することができるタイミング図の一例を示す。
【図１４】いくつかの実装に係る代表的なモジュールの模式的な図である。
【図１５】いくつかの実装に係る代表的な無線デバイスの模式的な図である。
【００３４】
一般の慣習により、図面に例示される様々な特徴は縮尺どおりに描かれるわけではない。したがって、様々な特徴部の寸法は、明確性のため任意に広げ又は縮めてよい。加えて、図面のいくつかは、所与のシステム、方法又はデバイスのコンポーネントすべてを描くわけでもない。最後に、明細書及び図面全体にわたり、同じ特徴を示すべく同じ参照番号が使用される。
【発明を実施するための形態】
【００３５】
ここに与えられる見出しは、たとえあったとしても、便宜のみのためであって、必ずしも請求項に係る発明の範囲又は意味に影響するわけではない。
【００３６】
図１は、ここに記載される一以上の特徴を有する電圧供給システム１００のブロック図を示す。かかるシステムは、入力電圧（Ｖｉｎ）に基づいて複数の出力電圧（例えばＶｏｕｔ１及びＶｏｕｔ２）を発生させることができる。
【００３７】
図２は、図１の電圧供給システム１００を実装することができる代表的なアプリケーションを示す。図２の例において、かかる電圧システムは、ＨＶ電力増幅システム７０のために複数の供給電圧信号を与えるべく構成された高電圧（ＨＶ）供給システム５８（ここでは１００でも参照される）を含み得る。かかるＨＶ供給システムに関する例は、２０１５年２月１５日出願の「多重モード電力管理に関するデバイスと方法」との名称の米国仮出願第６２／１１６，４５８号に記載されている。その開示はその全体が、ここに明示的に参照として組み入れられる。理解されることだが、電圧供給システム（図１の１００）が、かかる文脈でここに記載されるにもかかわらず、かかる電圧供給システムの一以上の特徴は他のアプリケーションでも利用することができる。
【００３８】
図２の例において、ＨＶ電力増幅システム７０は、一以上の電力増幅器（ＰＡ）（例えば６０ａ〜６０ｃ）を有する電力増幅器アセンブリ５４を含み得る。かかるＰＡのいくつか又はすべては、ＨＶモードで動作するべく構成することができる。
【００３９】
図２を参照すると、ＨＶ電力増幅システム７０はさらに、バイアスシステム５６を含み得る。かかるシステムは、ＰＡ（複数可）の動作を目的としてバイアス信号を電力増幅器アセンブリ５４へと与えるべく構成することができる。
【００４０】
またも図２を参照すると、ＨＶ電力増幅システム７０はさらに、電力増幅器アセンブリ５４とバイアスシステム５６及びＨＶ供給システム１００のいずれか又は双方との間のインタフェイス７２を含み得る。いくつかの実施形態において、かかるインタフェイスはまた、ＨＶ電力増幅システム７０と外部システム（図示せず）とのインタフェイス機能を与えることもできる。
【００４１】
無線デバイスのような携帯型デバイスにおける多くの回路は、限られた電池供給リソースを効率的に利用するべくＤＣ／ＤＣ電力変換を要求又は利用する。多くの場合、電池電圧を超える電圧が必要又は所望される一方、他の状況では、電池電圧よりも有意に低い電圧が利用される。
【００４２】
伝統的に、複数の電力供給出力を送達するべく並列供給回路群を利用することができる。しかしながら、かかる並列供給回路は典型的に、ダイ面積の増加、入力／出力（Ｉ／Ｏ）複雑性の増加、及び／又は部品表（ＢＯＭ）コストの増加をもたらす。
【００４３】
ここに記載されるのは、とりわけ、複数の出力（例えば二重出力）を与えるべくブーストチャージポンプ及びバックチャージポンプの組み合わせを含む供給システムに関する例である。いくつかの実施形態において、かかる組み合わせは、共通回路の実質的部分を共有するべく構成することができるので、例えばＩ／Ｏ複雑性及びＢＯＭコストが低減される。
【００４４】
二重出力システムの文脈において注目されるのは、ブーストされた出力電圧及びバック出力電圧のような二重出力電圧において、当該ブーストの電流負荷が多くの場合、当該バックの電流負荷よりも有意に低いことである。チャージポンプ設計を、ブースト及びバック出力電圧を送達するべく利用することができる。伝統的に、かかる設計では、各回路がそれ自身のパッシブコンポーネントを有する別個の回路が利用されるので、Ｉ／Ｏ及びＢＯＭ内容の重複がもたらされる。
【００４５】
図３Ａ及び３Ｂは、二重出力電圧を与えるべく構成されたかかる２つの別個の回路の例を示す。かかる二重出力電圧は、チャージポンプダブラ回路（図３Ａ）に対しては入力電圧の２倍すなわち２×Ｖｉｎとして、チャージポンプ除算器回路（図３Ｂ）に対しては入力電圧の半分すなわちＶｉｎ／２として描かれる。入力電圧Ｖｉｎは、例えば電池電圧（Ｖｂａｔｔ）とすることができる。理解されることだが、かかる倍増及び半減の例において記載されるにもかかわらず、入力に対する他の電圧も得ることができる。
【００４６】
図３Ａの例において、チャージポンプダブラ回路は、入力電圧Ｖｉｎのほぼ２倍となる出力（２×Ｖｉｎ）を発生させる２つのフェーズで動作することができる。閉のスイッチＳ１及びＳ４のΦ１によって示される第１フェーズにおいて、フライングキャパシタ（ＣＦｌｙ）は、表１ＡのΦ１部分に列挙されるスイッチング構成により、ほぼＶｉｎまで充電される。その時間中、最後のサイクル中に充電された保持キャパシタ（ＣＨｏｌｄ）は、放電して出力を与える。閉のスイッチＳ２及びＳ３のΦ２によって示される第２フェーズにおいて、保持キャパシタ（ＣＨｏｌｄ）は、ほぼ２×Ｖｉｎの出力が与えられる間、表１ＡのΦ２部分に列挙されるスイッチング構成により充電される。充電されたフライングキャパシタ（ＣＦｌｙ）が入力電圧Ｖｉｎに対して直列に配置される。
【表１Ａ】
2016149922.tif 000003
【００４７】
図３Ｂの例において、チャージポンプ除算器回路は、入力電圧Ｖｉｎのほぼ半分となる出力（Ｖｉｎ／２）を発生させる２つのフェーズで動作する。閉のスイッチＳ１及びＳ４のΦ１によって示される第１フェーズにおいて、フライングキャパシタ（ＣＦｌｙ）及び保持キャパシタ（ＣＨｏｌｄ）は、入力電圧Ｖｉｎ及び接地間に直列に配置される。Ｓ１及びＳ４が閉の場合、ＣＦｌｙは実質的に充電されておらず、かつ、ＣＨｏｌｄは以前に、両端間にＶｉｎ／２の電圧を与えるべく充電されている。ＣＦｌｙ及びＣＨｏｌｄのキャパシタンス値が同様であると仮定すれば、ＣＨｏｌｄのチャージは、Ｖｉｎ／２の電圧を与える。したがって、出力ノードは、Ｖｉｎ／２の電圧を有するように示される。表１Ｂは、上記第１フェーズΦ１のためのスイッチング構成を列挙する。閉のスイッチＳ２及びＳ３のΦ２によって示される第２フェーズにおいて、ＣＦｌｙ（今やＶｉｎ／２まで充電されている）及びＣＨｏｌｄは、今や出力ノード及び接地間で電気的に並列であり、入力電圧Ｖｉｎは接続が解除されている。したがって、ＣＦｌｙ及びＣＨｏｌｄのいずれか又は双方が出力ノードを介して放電するときでも、出力電圧をほぼＶｉｎ／２に維持することができる。表１Ｂは、上記第２フェーズΦ２のためのスイッチング構成を列挙する。
【表１Ｂ】
2016149922.tif 000004
【００４８】
図３Ａ及び３Ｂの例において、上記電圧倍増及び電圧半減機能のための２つの別個の回路が存在する。したがって、２つの回路は典型的に、２つの別個のフライングキャパシタ（ＣＦｌｙ）と２つの別個のキャパシタ（ＣＨｏｌｄ）とを利用する。さらに、各回路は４つのスイッチを含む。すなわち、２つの回路の中には合計８つのスイッチが存在する。
【００４９】
いくつかの実施形態において、上記別個の回路に関連付けられた機能を、単一の回路によって与えることができる。図４は、電圧倍増及び電圧半減双方の機能を与えるべく構成かつ動作可能なチャージポンプ回路１００の一例を示す。再び理解されることだが、様々な例が倍増及び半減の文脈において記載されるにもかかわらず、電圧増加及び電圧減少の係数は２以外とすることができる。
【００５０】
図４を参照すると、チャージポンプ回路１００は、入力電圧Ｖｉｎ（例えば電池電圧Ｖｂａｔｔ）を受けて２倍の電圧出力（２×Ｖｉｎ）及び半分の電圧出力（Ｖｉｎ／２）を発生させるべく構成することができる。詳しくは、入力電圧Ｖｉｎは、第１スイッチＳ１を介してノード１０４に結合された入力ノード１０２に与えられるように示される。第２スイッチＳ２は、入力ノード１０２を第２スイッチＳ２を介してノード１０６に結合するように示される。ノード１０４及び１０６は、フライングキャパシタ（ＣＦｌｙ）を介して結合されるように示される。ノード１０６は、第３スイッチＳ３を介して接地に結合されるように示される。
【００５１】
依然として図４を参照すると、ノード１０４は、第４スイッチＳ４を介して第１出力ノード１０８に、かつ、第５スイッチＳ５を介して第２出力ノード１１０に結合されるように示される。ノード１０６は、第６スイッチＳ６を介して第２出力ノード１１０に結合されるように示される。第１出力ノード１０８は第１保持キャパシタ（ＣＨｏｌｄ１）を介して接地に結合されるように示され、第２出力ノード１１０は第２保持キャパシタ（ＣＨｏｌｄ２）を介して接地に結合されるように示される。
【００５２】
いくつかの実施形態において、図４のチャージポンプ回路１００は、入力電圧Ｖｉｎに基づいて２倍の電圧（２×Ｖｉｎ）及び半分の電圧（Ｖｉｎ／２）双方の出力を発生させる４つのフェーズ（Φ１、Φ２、Φ３、Φ４）で動作することができる。図５Ａ〜５Ｄは、かかる４つのフェーズの例を示し、表２は、当該４つのフェーズそれぞれのためのスイッチ構成を列挙する。
【表２】
2016149922.tif 000005
【００５３】
図５Ａの第１フェーズ（Φ１）の例において、閉のスイッチＳ１及びＳ６はΦ１によって示され、残りのスイッチは開状態にある。このように入力ノード（図４の１０２）を、Ｓ１、ＣＦｌｙ及びＳ６を介して（Ｖｉｎ／２のための）第２出力ノード（１１０）へと結合することにより、図３Ｂの例の（入力がＳ１、ＣＦｌｙ及びＳ４を介してＶｉｎ／２出力に結合される）第１フェーズと同様の構成をもたらすことができる。
【００５４】
図５Ｂの第２フェーズ（Φ２）の例において、閉のスイッチＳ３及びＳ５はΦ２によって示され、残りのスイッチは開状態にある。かかる接地及び（Ｖｉｎ／２のための）第２出力ノード（１１０）に対するＣＦｌｙ及びＣＨｏｌｄ２のＳ３及びＳ５を介した配列により、図３Ｂの例の（ＣＦｌｙ及びＣＨｏｌｄ２がＳ２及びＳ３を介して同様に配列される）第２フェーズと同様の構成をもたらすことができる。
【００５５】
図５Ｃの第３フェーズ（Φ３）の例において、閉のスイッチＳ１及びＳ３はΦ３によって示され、残りのスイッチは開状態にある。かかる入力ノード（図４の１０２）及び接地間のＣＦｌｙの配列、並びに、ＣＨｏｌｄ１及び（２×Ｖｉｎのための）第１出力ノード（１０８）の孤立化により、図３Ａの例の（ＣＦｌｙがＳ１及びＳ４を介して入力ノード及び接地間に配列され、かつ、出力ノードが開のＳ３によって孤立化される）第１フェーズと同様の構成をもたらすことができる。
【００５６】
図５Ｄの第４フェーズ（Φ４）の例において、閉のスイッチＳ２及びＳ４はΦ４によって示され、残りのスイッチは開状態にある。かかる入力ノード（図４の１０２）及び（２×Ｖｉｎのための）第１出力ノード（１０８）間のＣＦｌｙの配列により、図３Ａの例の（ＣＦｌｙがＳ２及びＳ３を介して入力ノード及び出力ノード間に配列される）第２フェーズと同様の構成をもたらすことができる。
【００５７】
図５Ａ〜５Ｄの例において、上記４フェーズサイクルは、２×Ｖｉｎ及びＶｉｎ／２の双方の出力を維持するべく繰り返すことができる。
【００５８】
図４及び５Ａ〜５Ｄの代表的なチャージポンプ回路１００において、回路１００の二重化を回避するべく、チャージポンプダブラ回路（例えば図３Ａ）及びチャージポンプ除算器（例えば図３Ｂ）に一般に共通する一定数の回路素子を組み合わせることができる。かかる共通回路素子の組み合わせにより、回路素子の全体数を低減しながら電圧倍増及び電圧半減双方の機能を与える回路の交互配置構成を与えることができる。
【００５９】
例えば、図３Ａ及び３Ｂの別個のチャージポンプダブラ及び除算器回路において、各回路は４つのスイッチ、一つのＣＦｌｙキャパシタ及び一つのＣＨｏｌｄキャパシタを含む。したがって、電圧倍増及び電圧半減双方の機能を与えるべく、８つのスイッチ、２つのＣＦｌｙキャパシタ及び２つのＣＨｏｌｄキャパシタが存在する。しかしながら、図４及び５Ａ〜５Ｄの代表的な構成においては、電圧倍増及び電圧半減双方の機能を与えるべく、６つのスイッチ、一つのＣＦｌｙキャパシタ及び２つのＣＨｏｌｄキャパシタが存在する。すなわち、同様の電圧変換機能を与えながら２つのスイッチと一つのＣＦｌｙキャパシタとの除去が実現できることがわかる。注目されるのは、ＣＦｌｙキャパシタが典型的に、大きなキャパシタンス値を有することである。したがって、かかるデバイスを一つでも排除することは（例えばＢＯＭコスト低減の点で）有利となり得る。
【００６０】
図５Ａ〜５Ｄの例において、非効率的なチャージサイクルが生じ得る。図６は、２つの代表的なサイクルに対する４つのフェーズにおけるフライングキャパシタのチャージレベルを示す。フライングキャパシタのＶｉｎ／２モード及び２×Ｖｉｎモード間の遷移（例えばΦ２及びΦ３間の遷移）において、有意なチャージ損失が生じ得ることがわかる。詳しくは、比較的高い負荷のＶｉｎ／２モード動作条件と比較的低い負荷の２×Ｖｉｎモード動作条件とを考慮すれば、フェーズ３において加わる大量のチャージが、フェーズ４において十分に伝送されていない。それゆえ、余分なチャージが当該負荷によって消費されない場合、損失がフェーズ１に導入される。
【００６１】
図７は、上記チャージ損失が低減され得るチャージレベルを示す。限られたチャージが第４フェーズにとって必要ならば、第３フェーズにおいて行われるのは、十分なＶｉｎの充電よりもむしろＶｉｎ／２の充電の方である。図４のチャージポンプ回路が、図５Ａ〜５Ｄの例とは異なる動作となり得る態様の例がここに記載される。
【００６２】
図８は、図３Ａ及び３Ｂの別個のチャージポンプ回路の代表的な性能プロットを示す。プロット１２１及び１２２は、Ｖｉｎ（例えばＶｂａｔｔ）が２．５Ｖから５．５Ｖへのステップを２００ｍＶのインクリメントで行うときの電圧対時間を示す。プロット１２１及び１２２に示されるように、ほぼ８５μｓの整定時間（ｓｅｔｔｌｉｎｇ  ｔｉｍｅ）が存在する。プロット１２３は、ＰＡ＿Ｖｃｃのリップル及びＶ４ｐ５のリップルに対する電圧対時間を示す。プロット１２４は、４．５Ｖからのクロック電流対時間を示す。プロット１２５は、Ｖ４ｐ５及びＰＡ＿Ｖｃｃ＿ｏｕｔに対する電圧対時間を示す。プロット１２６は電流対電圧を示す。
【００６３】
図９は、図５Ａ〜５Ｄにおいて動作するチャージポンプ回路の、同様の代表的な性能プロットを示す。プロット１３１及び１３２は、Ｖｉｎ（例えばＶｂａｔｔ）が２．５Ｖから５．５Ｖへのステップを２００ｍＶのインクリメントで行うときの電圧対時間を示す。プロット１３１及び１３２に示されるように、ほぼ８５μｓの整定時間が存在する。プロット１３３は、ＰＡ＿Ｖｃｃのリップル及びＶ４ｐ５のリップルに対する電圧対時間を示す。プロット１３４は、４．５Ｖからのクロック電流対時間を示す。プロット１３５は、Ｖ４ｐ５及びＰＡ＿Ｖｃｃ＿ｏｕｔに対する電圧対時間を示す。プロット１３６は電流対電圧を示す。
【００６４】
比較のため、図８において１５０として示される領域を参照すると、注目されるのは、図３Ａ及び３Ｂの別個のチャージポンプ回路において、ほぼ５．２ｍＡの電流ドレインが存在することである。図９を参照すると、１５４として示される領域において、図５Ａ〜５Ｄのチャージポンプ回路に対しては電流ドレインの増加（例えばほぼ７．５ｍＡ）が存在し得る。またも注目されるのは、図９の領域１５２に示されるように、図５Ａ〜５Ｄのチャージポンプ回路のリップルが、図３Ａ及び３Ｂの別個のチャージポンプ回路と比較して増加し得ることである。
【００６５】
いくつかの実施形態において、図４のチャージポンプ回路１００は、例えば、上記電流ドレイン及びリップル効果、並びに図６及び７を参照するチャージ損失効果に対処するべく、図５Ａ〜５Ｄの例とは異なるように動作させることができる。図１０Ａ〜１０Ｄは、チャージ保存を改善するべく実装することができる４つのフェーズのシーケンスを示す。表３は、４つのフェーズそれぞれのためのスイッチ構成を列挙する。
【表３】
2016149922.tif 000006
【００６６】
図１０Ａの第１フェーズ（Φ１）の例において、閉のスイッチＳ１及びＳ６はΦ１によって示され、残りのスイッチは開状態にある。このように入力ノード（図４の１０２）を、Ｓ１、ＣＦｌｙ及びＳ６を介して（Ｖｉｎ／２のための）第２出力ノード（１１０）へと結合することにより、図３Ｂの例の（入力がＳ１、ＣＦｌｙ及びＳ４を介してＶｉｎ／２出力に結合される）第１フェーズと同様の構成をもたらすことができる。
【００６７】
図１０Ｂの第２フェーズ（Φ２）の例において、閉のスイッチＳ３及びＳ５はΦ２によって示され、残りのスイッチは開状態にある。かかる接地及び（Ｖｉｎ／２のための）第２出力ノード（１１０）に対するＣＦｌｙ及びＣＨｏｌｄ２のＳ３及びＳ５を介した配列により、図３Ｂの例の（ＣＦｌｙ及びＣＨｏｌｄ２がＳ２及びＳ３を介して同様に配列される）第２フェーズと同様の構成をもたらすことができる。
【００６８】
図１０Ｃの第３フェーズ（Φ３）の例において、閉のスイッチＳ１及びＳ６はΦ３によって示され、残りのスイッチは開状態にある。このようにＣＦｌｙを第１フェーズ（Φ１）と同じに繰り返し配列することにより、ＣＦｌｙは、図７に示される例と同様、十分なＶｉｎの代わりにＶｉｎ／２まで充電される。
【００６９】
図１０Ｄの第４フェーズ（Φ４）の例において、閉のスイッチＳ２及びＳ４はΦ４によって示され、残りのスイッチは開状態にある。かかる配列により、（２×Ｖｉｎのための）第１出力ノード（１０８）を充電して２×Ｖｉｎの出力を与えることができる。
【００７０】
図１０Ａ〜１０Ｄの例において、２×Ｖｉｎ及びＶｉｎ／２双方の出力を維持するべく、上記４フェーズサイクルを繰り返すことができる。
【００７１】
図１１は、図１０Ａ〜１０Ｄにおいて動作するチャージポンプ回路の性能プロットの例を示す。プロット１４１及び１４２は、Ｖｉｎ（例えばＶｂａｔｔ）が２．５Ｖから５．５Ｖへのステップを２００ｍＶのインクリメントで行うときの電圧対時間を示す。プロット１４１及び１４２に示されるように、ほぼ８５μｓの整定時間が存在する。プロット１４３は、ＰＡ＿Ｖｃｃのリップル及びＶ４ｐ５のリップルに対する電圧対時間を示す。プロット１４４は、４．５Ｖからのクロック電流対時間を示す。プロット１４５は、Ｖ４ｐ５及びＰＡ＿Ｖｃｃ＿ｏｕｔに対する電圧対時間を示す。プロット１４６は、電流対電圧を示す。１５８として示される領域を参照すると、注目されるのは、電流ドレインレベルが、ほぼ図３Ａ及び３Ｂの別個のチャージポンプ回路に関連付けられたレベルまで戻ることである。１５６として示される領域を参照すると、図１０Ａ〜１０Ｄのチャージポンプ回路が、有意に改善されたリップル性能を与えることがわかる。
【００７２】
いくつかの状況において、高側レール、例えば実質的に固定の４．５Ｖ出力を、入力電圧が４．５Ｖを超えるまで維持することが望ましい。いくつかの実施形態において、高側レールでのヒステリシスフィードバックの使用により、例えば出力電圧を制御することができる。例えば、フェーズ４は、ダブラ出力レールが４．５Ｖを下回る場合に実行することができる。ダブラ出力レールの軽い負荷ゆえに、フェーズ３からのチャージすべてが、当該レールを４．５Ｖの目標を上回るように増加させるべくフェーズ４において必要とされるわけではない。
【００７３】
注目されるのは、完全なフェーズ４のサイクルを実行することが、有意なリップルを導入し得ることである。フェーズ４は、高側レールのみが、しきい電圧まで充電され、その後、フェーズ２構成まで戻り、さらに、２による除算がされた低レールを充電するように分離することができる。
【００７４】
いくつかの実施形態において、図４のチャージポンプ回路１００は、上記フェーズ４の選択動作を容易にするべく、図１２Ａ〜１２Ｄの一例に示されるように動作させることができる。表４は、４つのフェーズそれぞれのためのスイッチ構成を列挙する。
【表４】
2016149922.tif 000007
【００７５】
図１２Ａ〜１２Ｄの例において、第１の３フェーズ（Φ１、Φ２、Φ３）は、図１０Ａ〜１０Ｃの例と同様に動作することができる。図１２Ｄの第４フェーズ（Φ４）の例において、閉のスイッチＳ３及びＳ５はΦ４によって示され、残りのスイッチは開状態にある。かかる配列により、上記第４フェーズ（Φ４）の選択動作を容易にすることができる。
【００７６】
図１２Ａ〜１２Ｄの例において、上記４フェーズサイクルは、２×Ｖｉｎ及びＶｉｎ／２双方の出力を維持するべく繰り返すことができる。
【００７７】
図１３は、図１２Ａ〜１２Ｄの例において実装可能なタイミング図の一例を示す。図１２のタイミング図において、フェーズ４は、上記ヒステリシスフィードバックにおけるリップル効果を制限するべく打ち切ることができる。
【００７８】
図１４は、いくつかの実施形態において、ここに記載される一以上の特徴を有する電圧供給回路（例えば図４、５Ａ〜５Ｄ、１０Ａ〜１０Ｄ、及び１２Ａ〜１２Ｄの１００）のいくつか又はすべてを一モジュールとして実装可能なことを示す。かかるモジュールは、例えばフロントエンドモジュール（ＦＥＭ）とすることができる。図１４の例において、無線周波数（ＲＦ）モジュール３００は、パッケージング基板３０２を含み得る。一定数のコンポーネントを、かかるパッケージング基板に搭載することができる。例えば、フロントエンド電力管理集積回路（ＦＥ−ＰＭＩＣ）コンポーネント３０４、電力増幅器アセンブリ３０６、整合コンポーネント３０８及びデュプレクサアセンブリ３１０を、パッケージング基板３０２上に及び／又はパッケージング基板３０２内に搭載及び／又は実装することができる。一定数の表面搭載技術（ＳＭＴ）デバイス３１４及びアンテナスイッチモジュール（ＡＳＭ）３１２のような他のコンポーネントもまた、パッケージング基板３０２に搭載することができる。様々なコンポーネントのすべてがパッケージング基板３０２上にレイアウトされるように描かれるにもかかわらず、何らかのコンポーネント（複数可）が、他のコンポーネント（複数可）の上又は下に実装できることが理解される。いくつかの実施形態において、ここに記載される一以上の特徴を有する電圧供給回路１００は、ＦＥ−ＰＭＩＣコンポーネント３０４の一部として実装することができる。
【００７９】
いくつかの実装において、ここに記載される一以上の特徴を有するデバイス及び／又は回路は、無線デバイスのようなＲＦデバイスに含めることができる。かかるデバイス及び／又は回路は、ここに記載されるモジュラー形態で、又はその何らかの組み合わせで無線デバイスに直接実装することができる。いくつかの実施形態において、かかる無線デバイスは、例えば、セルラー電話、スマートフォン、電話機能あり又はなしのハンドヘルド無線デバイス、無線タブレット等を含み得る。
【００８０】
図１５は、ここに記載される一以上の有利な特徴を有する代表的無線デバイス４００を描く。ここに記載される一以上の特徴を有するモジュールの文脈において、かかるモジュールは一般に、破線枠３００によって描くことができ、例えばフロントエンドモジュール（ＦＥＭ）として実装することができる。
【００８１】
図１５を参照すると、電力増幅器（ＰＡ）４２０は、増幅及び送信対象のＲＦ信号を発生させるべくかつ受信した信号を処理するべく周知の態様で構成かつ動作し得る送受信器４１０から対応ＲＦ信号を受信することができる。送受信器４１０は、ユーザに適したデータ及び／又は音声信号と送受信器４１０に適したＲＦ信号との間の変換を与えるべく構成されたベース帯域サブシステム４０８と相互作用をするように示される。送受信器４１０はまた、無線デバイス４００の動作のために電力を管理するべく構成された電力管理コンポーネント４０６と通信することもできる。かかる電力管理はまた、ベース帯域サブシステム４０８及びモジュール３００の動作を制御することもできる。
【００８２】
ベース帯域サブシステム４０８は、ユーザに与えられ及びユーザから受けた音声及び／又はデータの様々な入出力を容易にするべく、ユーザインタフェイス４０２に接続されるように示される。ベース帯域サブシステム４０８はまた、無線デバイスの動作を容易にし及び／又はユーザのための情報記憶を与えるデータ及び／又は命令を記憶するべく構成されたメモリ４０４に接続することもできる。
【００８３】
代表的な無線デバイス４００において、ＰＡ４２０の出力は、（対応整合回路４２２を介して）対応デュプレクサ４２４に整合され及び引き回されるように示される。かかる増幅されかつフィルタリングされた信号は、送信を目的としてアンテナスイッチ４１４を介してアンテナ４１６へと引き回すことができる。いくつかの実施形態において、デュプレクサ４２４により、共通アンテナ（例えば４１６）を使用して送受信動作を同時に行うことができる。図１５において、受信された信号は、例えば低雑音増幅器（ＬＮＡ）を含み得る「Ｒｘ」経路（図示せず）へと引き回されるように示される。
【００８４】
いくつかの実施形態において、ここに記載される二重出力供給システム１００のような電圧供給回路は、モジュール３００の一部として実装することができる。
【００８５】
一定数の他の無線デバイス構成も、ここに記載される一以上の特徴を利用することができる。例えば、無線デバイスは、多重帯域デバイスである必要がない。他例において、無線デバイスは、ダイバーシティアンテナのような付加アンテナ、並びに、Ｗｉ−Ｆｉ（登録商標）、Ｂｌｕｅｔｏｏｔｈ（登録商標）及びＧＰＳのような付加的な接続機能を含み得る。
【００８６】
本明細書及び特許請求の範囲全体にわたり、文脈上そうでないことが明らかでない限り、「含む」等の用語は、排他的又は網羅的な意味とは反対の包括的意味に、すなわち「〜を含むがこれらに限られない」との意味に解釈すべきである。ここで一般に使用される用語「結合」は、直接接続されるか又は一以上の中間要素を介して接続されるかいずれかとなり得る２以上の要素を言及する。加えて、用語「ここ」、「上」、「下」及び類似の趣旨の用語は、本願において使用される場合、本願全体を言及し、本願の任意の特定部分を言及するわけではない。文脈が許容する場合、単数又は複数の上述の詳細な説明における用語はそれぞれ、複数又は単数をも含み得る。２以上の項目のリストを参照する用語「又は」及び「若しくは」について、当該用語は以下の解釈のすべてをカバーする。すなわち、当該リストの任意の項目、当該リストのすべての項目、及び当該リストの項目の任意の組み合わせである。
【００８７】
本発明の実施形態の上記詳細な説明は、排他的であることすなわち本発明を上記開示の正確な形態に制限することを意図しない。本発明の及びその例の特定の実施形態が例示を目的として上述されたが、当業者が認識するように、本発明の範囲において様々な均等の修正も可能である。例えば、プロセス又はブロックが所与の順序で提示されるが、代替実施形態は、異なる順序でステップを有するルーチンを行うこと又はブロックを有するシステムを用いることができ、いくつかのプロセス又はブロックは削除、移動、追加、細分化、結合、及び／又は修正することができる。これらのプロセス又はブロックはそれぞれが、様々な異なる態様で実装することができる。また、プロセス又はブロックが直列的に行われるように示されることがあるが、これらのプロセス又はブロックは、その代わりに、並列して行い又は異なる時に行うこともできる。
【００８８】
ここに与えられた本発明の教示は、必ずしも上述のシステムに限られることがなく、他のシステムにも適用することができる。上述の様々な実施形態の要素及び行為は、さらなる実施形態を与えるべく組み合わせることができる。
【００８９】
本発明のいくつかの実施形態が記載されたが、これらの実施形態は、例のみとして提示されており、本開示の範囲を制限することを意図しない。実際、ここに記載される新規な方法及びシステムは、様々な他の形態で具体化することができる。さらに、ここに記載される方法及びシステムの形態における様々な省略、置換及び変更が、本開示の要旨から逸脱することなくなし得る。添付の特許請求の範囲及びその均等物が、本開示の範囲及び要旨に収まるかかる形態又は修正をカバーすることが意図される。
【図１】
2016149922.tif 000008
【図２】
2016149922.tif 000009
【図３Ａ】
2016149922.tif 000010
【図３Ｂ】
2016149922.tif 000011
【図４】
2016149922.tif 000012
【図５−１】
2016149922.tif 000013
【図５−２】
2016149922.tif 000014
【図６】
2016149922.tif 000015
【図７】
2016149922.tif 000016
【図８】
2016149922.tif 000017
【図９】
2016149922.tif 000018
【図１０−１】
2016149922.tif 000019
【図１０−２】
2016149922.tif 000020
【図１１】
2016149922.tif 000021
【図１２−１】
2016149922.tif 000022
【図１２−２】
2016149922.tif 000023
【図１３】
2016149922.tif 000024
【図１４】
2016149922.tif 000025
【図１５】
2016149922.tif 000026
【外国語明細書】
2016149922000001.pdf